(57)【要約】【課題】単一引き金の作動だけでシリンジをピペットから開放することのできるピペットに関する。【解決手段】シリンジ６のシリンジ筒８の取り付け部５のための座４と、シリンジ６のシリンジピストン１２のための、収容本体１０中のピストンの座１１と、取り付け部５とシリンジピストン１２を座１４、座１１内に可逆的に固定するための取り付け装置と、ピペット筐体２内の収容本体１０を取り外すためのピストン調節装置１５とをその中に具備するピペット筐体を有するピペット。【選択図】図１
2006326577.tif 000002
【特許請求の範囲】
【請求項１】
シリンジ（６）のシリンジ筒（８）の取り付け部（５）のための座（４）と、
シリンジ（６）のシリンジピストン（１２）のための、収容本体（１０）中のピストンの座（１１）と、
取り付け部（５）とシリンジピストン（１２）を座（１４、１１）内に可逆的に固定するための取り付け装置と、
ピペット筐体（２）内の収容本体（１０）を取り外すためのピストン調節装置（１５）とをその中に具備するピペット筐体を有するピペットであって、
取り付け部（５）とシリンジピストン（１２）はそれらの座（４、１１）の軸上開口（７、１３）を経由してその取り付け位置に軸上に滑るようにされ、
取り付け装置は、取り付け部（５）とシリンジピストン（１２）を取り付け位置に固定するための放射方向に進行可能な握り装置を有し、
握り装置は、ピペット筐体内に軸旋回可能に支持されたシリンジ握りレバー（１９）と、
収容本体（１０）内に軸旋回可能に支持されたピストン握りレバー（２８）とを有し、
シリンジ握りレバー（１９）とピストン握りレバー（２８）は、握り腕（２１、３０）と作動腕（２３、３１）を含む２個の腕を有するように構成され、
その作動腕内部のシリンジ握りレバー（１９）は、それらの作動腕（２３）が作動されるとき、ピストン握りレバー（２８）の作動腕（３１）に対して外部から軸旋回され、ピストン握りレバー（２８）を作動するようにした接触点を有し、
シリンジ握りレバー（１９）は、作動腕（２３）上に内方に突出する開放レバー（３３）を有し、
ピペット筐体（２）内の開放レバー（３３）に関して横方向に摺動可能に少なくとも１個のガイド（３７）で案内された伝達部位（３５）は、ガイド（３７）内の表側の接合領域（４０）によって移動されることによって、２個の開放レバー（３３）に対して接合するようにされ、
ピペット筐体（２）内に可動に配設された引き金（４６）は、引き金（４６）を動かした時にガイド（３７）内の伝達部位（３５）を動かすために伝達部位（３５）と結合される、ピペット。
【請求項２】
開放レバー（３３）と、伝達部位（３５）と、引き金（４６）によって規定される引き金機構が、２箇所の端部の間で移動するようにされた請求項１に記載のピペット。
【請求項３】
一端部で引き金機構に作用し、他端部でピペット筐体（２）に作用し、したがって、引き金作動に反作用するコイルスプリング部材（４２）が提供される請求項１または２に記載のピペット。
【請求項４】
前記伝達部位（３５）が、前記ガイド（３７）内に沿ってピペット筐体（２）の収容本体（１０）の移動する方向と平行に通る請求項１から３のいずれか一項に記載のピペット。
【請求項５】
前記伝達部位（３５）が、前記ガイド（３７）に沿って通る少なくとも２個の平行のロッド（３６）とそれらを端部で接続する架橋部材（３８、３９）とを有する請求項１から４のいずれか一項に記載のピペット。
【請求項６】
前記開放レバー（３３）に面する少なくとも１個の架橋部材（３９）が接合領域（４０）を有する請求項５に記載のピペット。
【請求項７】
前記伝達部位（３５）が、前記ピペット筐体（２）から前記ガイド（３７）の横方向に突出する引き金（４６）に結合される請求項１から６のいずれか一項に記載のピペット。
【請求項８】
前記引き金（４６）が、前記座（４）から離れた前記ピペット筐体（２）の端部近傍に配設される請求項１から７のいずれか一項に記載のピペット。
【請求項９】
前記伝達部位（３５）が、作動ロッド（４４）を介して前記引き金（４６）に結合される請求項１から８のいずれか一項に記載のピペット。
【請求項１０】
前記伝達部位（３５）が、前記ガイド（３７）と平行なトラニオン（４１）を有しその上にコイルスプリング部材（４２）が案内される請求項１から９のいずれか一項に記載のピペット。
【請求項１１】
各シリンジ握りレバー（１９）が２個の開放レバー（３３）を有する請求項１から１０のいずれか一項に記載のピペット。
【請求項１２】
前記開放レバー（３３）が、非作動状態のとき、前記伝達部位（３５）の前記ガイド（３７）から鋭角に傾斜する請求項１から１１のいずれか一項に記載のピペット。
【請求項１３】
前記開放レバー（３３）が、端部に球状部（３４）を有する請求項１から１２のいずれか一項に記載のピペット。
【請求項１４】
前記座（４）が、その中にスプリング荷重を加えた接合部（９）を具備し、その上にシリンジ（６）の取り付け部（５）がシリンジ握りレバー（１９）によって押圧されるようにされた請求項１から１３のいずれか一項に記載のピペット。
【請求項１５】
前記引き金（４６）が、前記ピペット筐体（２）から外方へ突出し手動作動によって移動されるようにした引き金ボタンを有する請求項１から１４のいずれか一項に記載のピペット。
【請求項１６】
前記引き金に結合された前記引き金のための電動機を有する請求項１から１５のいずれか一項に記載のピペット。
【請求項１７】
前記ピストン調節装置に結合された前記ピストン調節装置のための電動機を有する請求項１から１６のいずれか一項に記載のピペット。
【請求項１８】
手で保持されるピペットである請求項１から１７のいずれか一項に記載のピペット。
【請求項１９】
据付ピペットである請求項１から１８のいずれか一項に記載のピペット。
【発明の詳細な説明】
【技術分野】
【０００１】
本発明はピペットに関する。
【背景技術】
【０００２】
ピペットは、液体の計量と移動を行うための装置である。それらは、しばしばシリンジから液体を段階的に分注することのできる連続ピペットまたはマルチピペットとして構成される。この型の連続ピペットは、特に連続ピペットの連続機構に関する独国特許第２９２６６９１Ｃ２号に知られている。また、文献はシステムであるシリンジをいかにして連続ピペットに固定するかについても述べている。この目的のために、シリンジは、側部から横方向に開口し実質上Ｕ形状をした溝の中へ導入するようにされたシリンジフランジを有する。挿入されたシリンジフランジは軸方向の圧力スプリングによって溝の中に固定される。挿入部位が提供され、シリンジピストンをピストン調節装置に結合し、２個の顎の間にシリンジピストンの一端部を収容する。顎は、フラップ形状のクランピング部材によってシリンジピストンに対して押圧されるように設計され、その作動レバーは開口を経由して筐体から突出する。このシリンジ固定は、シリンジを挿入してピストン調節装置に結合し、結合を開放してそこから取り外すような寸法にする必要があるという欠点を有する。
【０００３】
独国特許第４３４１２２９Ｃ２号は、手動の作動により適し、ピペット中に簡単に押し込むことができ、そこから軸上に取り外すことのできるシリンジを有するピペットシステムを提案する。このピペットは、取り付け部とシリンジ部を呈するシリンジと、ピペット筐体中に、取り付け部のための座とシリンジピストンのためのピストン座を備える収容本体を有する。さらに、取り付け部とシリンジピストンを座中に可逆的に固定するための取り付け装置と、ピペット筐体内の収容本体を取り外すためのピストン調節装置がある。取り付け部とシリンジピストンは、それらの座の軸上開口を経由して、それらの取り付け位置に軸上に押し込むことができる。取り付け装置は、取り付け部とシリンジ部を取り付け位置に固定するための放射方向に進行可能な握り装置を有する。握り装置はピペット筐体内に軸旋回可能に支持されたシリンジ握りレバーおよび収容本体内に軸旋回可能に支持されたピストン握りレバーを有する。シリンジ握りレバーとピストン握りレバーは、握り腕と作動腕を含む２個の腕を有するように構成され、シリンジ握り腕は、それらの作動腕が作動されるとき、ピストン握りレバーの作動腕に対して外部から軸旋回させ、ピストン握りレバーを作動するようにされた接触点をその作動腕の内部に有する。達成される効果は、シリンジとピペットが純粋に相対的な軸上の動きによって互いに接続することができ、取り付け装置の作動によって互いに分離できることである。
【０００４】
一実施形態によれば、シリンジをピペットから分離しようとする使用者は、２個のシリンジ握りレバー作動腕を内方に押圧することが要求される。結果として、シリンジの握りレバーの開放カムがシリンジピストンを動かすようにシリンジ握りレバーの作動腕に力を加えるので、握り腕はシリンジフランジを動かす。フランジ停止部の予備荷重を加えた螺旋コイル状スプリングは、シリンジを外すために連続ピペットの軸上開口に向かって圧力を加える。シリンジをピペットから分離するためには、２個のシリンジ握りレバーを二本の指で同時に作動する必要がある。
【０００５】
【特許文献１】独国特許第４３４１２２９Ｃ２号
【発明の開示】
【発明が解決しようとする課題】
【０００６】
したがって、本発明の目的は、単一引き金の作動だけでシリンジをピペットから開放することのできるピペットを提供することである。
【課題を解決するための手段】
【０００７】
目的は請求項１の特徴を有するピペットによって達成される。ピペットの有利な態様は、従属請求項に示される。
【０００８】
本発明のピペットは、
シリンジのシリンジ筒の取り付け部のための座と、
シリンジのシリンジピストンのための収容本体中のピストンの座と、
取り付け部とシリンジピストンを座内に可逆的に固定する取り付け装置と、
ピペット筐体内の収容本体を取り外すためのピストン調節装置とをその中に具備するピペット筐体を有し、
取り付け部とシリンジピストンはその座の軸上開口を経由してその取り付け位置に軸上に滑るようにされ、
取り付け装置は、取り付け部とシリンジピストンを取り付け位置に固定するための放射方向に進行可能な握り装置を有し、
握り装置は、ピペット筐体内に軸旋回可能に支持されたシリンジ握りレバーと、
収容本体内に軸旋回可能に支持されたピストン握りレバーとを有し、
シリンジ握りレバーとピストン握りレバーは、握り腕と作動腕を含む２個の腕を有するように構成され、
その作動腕内部のシリンジ握りレバーは、それらの作動腕が作動されるとき、ピストン握りレバーの作動腕に対して外部から軸旋回され、ピストン握りレバーを作動するようにした接触点を有し、
シリンジ握りレバーは、作動腕上に内方に突出する開放レバーを有し、
ピペット筐体内の開放レバーに関して横方向に摺動可能に少なくとも１個のガイドで案内された伝達部位が、ガイド内の表側接合領域の装置によって移動されることによって２個の開放レバーに対して接合するようにされ、
ピペット筐体内に可動に配設された引き金は、引き金を動かした時にガイド内の伝達部位を取り外すために伝達部位に結合される。
【０００９】
本発明のピペットは、単一の中央引き金を作動することによってシリンジをピペットから分離することのできる利点を有する。実際に、引き金の作動はガイド内でそれに結合された伝達部位の変位をもたらす。ここで、伝達部位は接合領域を開放レバー上に押し当ててそれらを軸旋回させ、ならびにシリンジ握りレバーを軸旋回させる。その結果、シリンジ握りレバーはシリンジの取り付け部を開放する。この段階で、シリンジ握りレバーはピストン握りレバーの作動腕に対して軸旋回され、僅かな時間差でシリンジピストンを動かす。このようにして、単一の引き金の作動によってピペットからシリンジが分離される。これはシリンジをピペットに軸上に接続可能とする有利さを保つ。ピペットが適切に設計されれば、ピペットを取り付け部とシリンジのシリンジピストンの上に固定するだけで、それらを軸上に接続することが可能になる。
【００１０】
一態様によれば、開放レバー、伝達部位、および引き金によって規定される引き金機構は２箇所の端部位置の間で移動するようにされ、シリンジは取り付け位置でピペット上に固定され、開放位置でピペットから開放される。この目的のために、一態様によれば、引き金機構には端部停止部が設けられる。他の態様によれば、コイルスプリング部材が提供され、一端部で引き金機構に作用し、他の端部でピペット筐体に作用するので、コイルスプリング部材は引き金機構に反作用を与える。ここで、コイルスプリング部材は、引き金の開放に続いて引き金機構を取り付け位置に戻るようなものが適宜選択され、その大きさが決められる
【００１１】
一態様によれば、伝達部位はガイド内にピペット筐体内の収容本体の移動する方向と平行に案内される。これは、ピペット筐体中への省スペースな収容、およびピペット筐体の座から離れたピペット筐体の領域に引き金を配置するのに有利である。
【００１２】
一態様によれば、伝達部位は、ガイド内に案内された少なくとも２個の平行なロッドとそれらを端部で接続する架橋部材を有する。伝達部位は連続機構および／またはロッド間の他の構成を受容するようにされる。他の態様によれば、開放レバーに面する少なくとも１個の架橋部材は接合領域を有する。
【００１３】
一態様によれば、伝達部位は、前記ピペット筐体から前記ガイドの横方向に突出する引き金に結合される。引き金は簡単に親指で、その周囲を握ることなく作動することができ、特に引き金が座から遠く向かい合うピペット端部に近づくように動かされる時、連続機構も作動する。
【００１４】
一態様によれば、引き金はピペット筐体の座から離れたピペット筐体の端部近傍に配設される。これは引き金の操作を容易にする。
【００１５】
一態様によれば、伝達部位は作動ロッドを介して引き金に結合される。作動ロッドは、省スペース形状で、座から遠く向かい合うピペット筐体の端部近くに伝達部位を引き金に結合する働きをする。
【００１６】
一態様によれば、各シリンジ握りレバーは２個の開放レバーを有する。２個の開放レバーは、省スペース式収容のシリンジ握りレバーに開放力を均一に伝達するのに有利である。
【００１７】
一態様によれば、開放レバーは、非作動状態のとき、伝達部位のガイドから鋭角に傾斜する。これは、シリンジ握りレバーの軸旋回領域全体に、伝達部位からシリンジ握りレバーへ開放力を均一に伝達するのに有利である。
【００１８】
一態様によれば、開放レバーは球状部を有する。球状部は伝達部位の接合領域上に低い摩擦で旋回降下することが可能であり、したがって力が節約される。
【００１９】
一態様によれば、座はその中にスプリング荷重を加えた接合部を有し、その上にシリンジの取り付け部がシリンジ握りレバーによって押圧されるようにされる。シリンジ握りレバーによって開放されると、シリンジはスプリング荷重を加えた接合部によって座から外される。例えば、スプリング荷重を加えた接合部は、シリンジ取り付け部の上昇と降下により形成されたデバイスコードにより検出するための、スプリング荷重を加えたセンサープレートによって形成される。
【００２０】
一態様によれば、引き金は、ピペット筐体から外方に突出し手動作動によって移動されるようにされた引き金ボタンを有する。
【００２１】
一態様によれば、ピペットは引き金に結合された引き金のための電動機を有する。引き金は、それ故、シリンジのピペットからの分離を電動機を制御することによって制御可能とする。
【００２２】
一態様によれば、ピペットはピストン調節装置に結合されたピストン調節装置用の電動機を有する。この態様において、ピストンの取り外しは電気的に制御可能である。
【００２３】
ピストンおよび／またはピストン調節装置用の電動機を含むピペットは、電気的制御ユニットと電動機または複数の電動機のための電源を有する。電源は主電源および／または蓄電器またはバッテリーを用いる電源である。
【００２４】
一態様によれば、ピペットは手動操作ピペットである、すなわち使用時に手で保持される。この目的のために、ピペット筐体は柄として設計することが好ましい。ここでは、引き金および／またはピストン調節装置は手動、および／または電動機によって駆動される。
【００２５】
他の態様によれば、ピペットは据付ピペットである。ここでは、引き金および／またはピストン調節装置は電動機によって駆動することが好ましい。
【発明を実施するための最良の形態】
【００２６】
添付の実施形態の図面を参照して本発明をより詳細に説明する。
【００２７】
用語「底部」、「下部」、「頂部」、「上部」は、以降、シリンジを下方に保持して使用するときのピペットの配列を指す。
【００２８】
ピペット１は、実質上円筒形の筐体基部３を備えるピペット筐体２を有する。筐体基部３の下端部はその中にシリンジ６の取り付け部５用の座４を具備する。取り付け部５はシリンジ６の取り付け部である。筐体基部３の下端部に、座４は軸上開口７を有し、そこを通って座４に保持されたシリンジ６がそのシリンジ筒８を突出させる。
【００２９】
座４はその中にスプリング荷重を加えた接合部９を具備し、それに対して取り付け部５の上部側を押圧することができる。接合部９は、示されていないが、取り付け部５の上部側のコードを検出するためのセンサーを有する。
【００３０】
筐体基部３はその中にピストン座１１を含む収容本体１０を具備し、その中へシリンジ６のシリンジピストン１２の上方に突出する端部を挿入することができる。ここで、シリンジピストン１２はピストン座１１の軸上開口１３を経由して収容本体１０の中へ展延する。シリンジピストン１２の上端部は、ピストン座１１の底部で規定されるピストン停止部に接合する。
【００３１】
収容本体１０はピストン調節装置１５に結合された座１４に固定される。例えば、ピストン調節装置１５は、手動または電動機によって駆動される直線状駆動装置、または独国特許第２９２６６９１Ｃ２号または独国特許第４３４１２２９Ｃ２号から知られる連続機構を有するピストン調節装置１５である。連続機構の説明については、上述の２つの文献を参照されたい。
【００３２】
座１４は、筐体基部３の軸上溝１７から外方へ展延する、後方に動く可動レバー１６に結合される。したがって、収容本体１０は後方に動く可動レバー１６の作動によって筐体基部３内で軸上に移動可能である。
【００３３】
座４のいずれかの側の直径方向反対側のベアリング１８は、取り付け部５を固定するための筐体基部３内の旋回軸２０上に支持されたシリンジ握りレバー１９を有する。シリンジ握りレバー１９は、ピペット筐体２中に収容される。シリンジ握りレバー１９には鉤形の握り腕２１が設けられ、後者が座４に挿入され接合部９に対して保持されるとき、レバーは取り付け部５の下部の後方を握ることが可能になる。
【００３４】
シリンジ握りレバー１９には旋回軸２０の下部に握り腕２２が設けられる。シリンジ握りレバー１９の作動腕２３は旋回軸２０の上方に位置する。
【００３５】
筐体基部３の内部シェルはその上に配置された２個の板バネ２４を有し、その上端部は筐体基部３に固定される。板バネ２４の下端部はシリンジ握りレバー１９の内側に対して押圧される。
【００３６】
したがって、板バネ２４は、取り付け部５の後部を握る位置に向かってシリンジ握りレバー１９を付勢する。
【００３７】
シリンジ握りレバー１９はそれらの作動腕２３の内側に各々収容本体１０に向かう開放カム２５を有する。
【００３８】
収容本体１０には直径方向の両側に貫通孔２６が設けられる。貫通孔２６は、収容本体１０において、旋回軸２７でピストン握りレバー２８を支持する。ピストン握りレバー２８は、シリンジピストン１２の外方端部でピストン環状部２９の後方の握りを可能にする。この目的のために、レバーは旋回軸２７の上部に配設された略楔形の握り腕３０を有する。作動腕３１は旋回軸２７の下部に位置する。ピストン握りレバー２８の全ては略菱形の外形を有する。
【００３９】
シリンジ握りレバー１９、ピストン握りレバー２８は、各々ほぼ同じ長さの腕を有する。しかし、ピストン握りレバー２８はシリンジ握りレバー１９よりも短い。
【００４０】
ピストン握りレバー２８の旋回軸２７はその上にレッグスプリング３２を配置し、それらのピストン環状部２９の後部を握る位置に向かってピストン握りレバー２８を付勢する。ピストン握りレバー２８の作動腕３１の外側は、この固定された位置のシリンジ握りレバー１９の内側で、開放カム２５の旋回範囲内に位置するような形状にされる。シリンジ握りレバー１９に対するピストン握りレバー２８の正しい配列は、軸上溝１７内に案内された後方に動く可動レバー１６によって確保される。
【００４１】
開放レバー３３は、シリンジ握りレバー１９の作動腕２３の内側から内方に突出する。開放レバー３３は作動腕２３の上端部に結合され、シリンジピストン１２の軸から鋭角に傾斜する。
【００４２】
開放レバー３３は端部の球状部３４を有する。
【００４３】
伝達部位３５はピペット筐体２内に配置される。伝達部位３５は、シリンジピストン１２の軸と平行に展延しピペット筐体２内のガイド３７に沿って通る複数のロッド３６を有する。ロッド３６は、端部で架橋部材３８、３９に相互接続される。架橋部材３８は底部に接合領域４０を有する。伝達部位３５がガイド３７の範囲内で移動すると、接合領域４０を開放レバー３３の球状部３４に対して保持することが可能になる。
【００４４】
架橋部材３８はシリンジピストン１２の軸と平行に配列するトラニオン４１を有する。コイルスプリング部材４２はトラニオン４１上に案内され、架橋部材３８の下部側で支持され、他の端部は筐体に固定された接合部４３で支持される。
【００４５】
その頂部で、伝達部位３５はピペット筐体２の内側に沿って通る作動ロッド４４に結合される。作動ロッド４４は筐体頂部４５内の横方向に突出する引き金４６の上部に接続される。引き金４６はピペット筐体２からポケット４７を経由して外方へ横方向に突出する。引き金４６はピペット筐体２の上端部近くに配置され、したがって、例えば、示されていないが、ピストン調節装置１５および調合した容積のための制御部位のさらに近くへ配置される。
【００４６】
ピペット１は以下のようにして使用される。
【００４７】
後方の可動レバー１６を用いて、収容本体１０を座４に向かって可能な限り移動する。シリンジ６が、シリンジピストン１２の上端部と取り付け部５を先にして軸上開口７を経由して座４に導入される。この段階で、シリンジピストン１２の上端部は収容本体１０のピストン座１１の中へ押し込まれ、取り付け部５はスプリング荷重を加えた接合部９に対して押し付けられる。結果として、シリンジ握りレバー１９とピストン握りレバー２８はスプリング作用に抗して外方へ駆動され、スプリングの作用のため、それらの握り腕２１は取り付け部５の後部に素早く動き、それらの握り腕３０はピストン環状部２９の後部に素早く動く。この後、シリンジ６は座内に固定される（図１参照）。
【００４８】
後方の可動レバー１６を頂部へ移動することによって、シリンジ６の中へ液体が吸い込まれる。調合する体積は適切な調節装置によって設定される。ピストン調節装置１５の作動はシリンジピストン１２を下方へ動かし、所望の液体容積が分注される。
【００４９】
シリンジ６が空にされるとき、座４はその最下部位置にあり、ピストン握りレバー２８はシリンジ握りレバー１９の作動によって作動することができる。
【００５０】
一度配合処理が行われた後、シリンジ６は引き金４６の作動によって取り外すことができる。そうするためには、その使用者によって引き金４６が押し下げられる（図２参照）。これは作動ロッド４４とそれに接続された伝達部位３５をコイルスプリング部材４２の作用に抗して下方へ動かす。接合領域４０が開放レバー３３上と接触するとき、シリンジ握りレバー１９はそれらの握り腕２１を外方へ旋回させ、取り付け部５を開放するであろう。作動腕２３の内側の開放カム２５は作動腕３１を外側と接触し、ピストン握りレバー２８の握り腕３０を外方へ旋回させるので、レバーはピストン環状部２９を開放する。スプリング荷重を加えた接合部９は取り付け部５を下方へ駆動し、シリンジ６をピペットから取り外す。
【００５１】
引き金４６が開放された後、引き金機構である、伝達部位３５、作動ロッド４４、引き金４６およびシリンジ握りレバー１９、ピストン握りレバー２８はコイルスプリング部材４２、板バネ２４、レッグスプリング３２の作用によってその元の位置（図１参照）に戻る。
【００５２】
次いで、ピペット１は未使用のシリンジ６を受容する準備が整う。
【図面の簡単な説明】
【００５３】
【図１】その中にシリンジを保持するピペットを、長手方向の断面（左側）およびピペット筐体の半分を取り外して（右側）示す図である。
【図２】取り付け装置を作動させた同じピペットを、長手方向の断面（左側）およびピペット筐体の半分を取り外して（右側）示す図である。
【符号の説明】
【００５４】
１      ピペット
２      ピペット筐体
６      シリンジ
１２    シリンジピストン
１９    シリンジ握りレバー
２８    ピストン握りレバー
３５    伝達部位
４２    コイルスプリング部材
４６    引き金
【図１】
2006326577.tif 000003
【図２】
2006326577.tif 000004